(57)【要約】  首や肩にかかる負担を軽減し且つ運搬物を保持するのに充分な強度を有し且つデザイン性にも優れるストラップを提供する。  首や肩に掛ける掛部（１０）と、掛部（１０）の両端部それぞれを留め且つ運搬物（５０，６０）に取り付けられる複数の留具（１６Ａ，１６Ｂ）とを有するストラップ（１）であって、掛部（１０）は、長方形状の２枚以上のストール（１１，１２）を長手方向に縫合することで形成されることを特徴とするストラップ（１，２）。
2016194187.tif 000002
【特許請求の範囲】
【請求項１】
首や肩に掛ける掛部と、前記掛部の両端部それぞれを留め且つ運搬物に取り付けられる複数の留具とを有するストラップであって、
前記掛部は、長方形状の２枚以上の布を長手方向に縫合することで形成される
ことを特徴とするストラップ。
【請求項２】
前記掛部の前記長手方向の両端部には、縫合された前記２枚以上の布の対角上の２つの角部を切除することで形成される傾斜部と前記長手方向と平行な端部とを縫合することで構成される袋状部が形成され、
前記掛部の前記長手方向の中央部には、前記袋状部の開口部が形成される
ことを特徴とする請求項１に記載のストラップ。
【請求項３】
前記袋状部の前記開口部側の端部は、２枚以上の前記布のうち片方の前記布がヒダ状に折り畳んで縫合される折畳み部が形成される
ことを特徴とする請求項２に記載のストラップ。
【請求項４】
前記掛部は、長方形状の２枚以上の前記布を長手方向に縫合し、前記長手方向の両端部が縫合されることで、無端の円環状に構成される
ことを特徴とする請求項１に記載のストラップ。
【発明の詳細な説明】
【技術分野】
【０００１】
本発明は、カメラ等の電子機器やギター等の音楽機器やバッグ類を持ち運ぶための荷物搬送用のストラップに関し、特に首や肩に掛けて使用するストラップに関する。
【背景技術】
【０００２】
従来、首や肩に掛けて使用するカメラ用のストラップ（いわゆるネックストラップ）がある。このようなネックストラップは、カメラの左右端を保持し且つ首や肩に掛けることができる長さのベルト状の吊り紐部と、当該吊り紐部の両端部を留めるための留め具とで構成される。ここで、一眼レフカメラのように重量のあるカメラを保持する場合には、カメラの荷重に耐えるため、充分な強度の材料を選択する必要がある。このため、カメラ用ストラップでは、吊り紐部の材質が強度のある樹脂製、革製、きつく織った布製のもので、幅が狭いものが一般的である。例えば、特許文献１の首掛けタイプのカメラ用ストラップでは、布製の吊り紐部は、幅が狭い。【０００３】
このように、ベルト状の吊り紐部は幅が狭いため、カメラ用ストラップを首や肩に掛けたときに、吊り紐部が首や肩に食い込んで首や肩を痛めるおそれがあった。そこで、ストラップを首や肩にかけたときの荷重を分散するため、吊り紐部を幅広にしたものがある。例えば、特許文献２のストラップの吊り紐部は１枚の幅広の布であるストールで構成している。
【先行技術文献】
【特許文献】
【０００４】
【特許文献１】特開２０１２−１０３７３６号公報
【特許文献２】登録実用新案第３１９４００６号公報
【発明の概要】
【発明が解決しようとする課題】
【０００５】
しかしながら、ストラップの吊り紐部を幅広の布にするのみである場合、強度的に、カメラ等の比較的小型且つ軽量の運搬物に付帯する場合に限定されてしまうという問題がある。このため、ストラップをより大きな運搬物に付帯する場合に、吊り紐部の強度を十分に保つ必要があった。また、１枚の布にて吊り紐部を構成する場合、１枚の布の模様が同じであると、吊り紐部のデザイン性が乏しいという問題もある。【０００６】
本発明は上述の点に鑑みてなされたものであり、その目的は、首や肩にかかる負担を軽減し且つ運搬物を保持するのに充分な強度を有し且つデザイン性にも優れるストラップを提供することにある。
【課題を解決するための手段】
【０００７】
上記課題を解決するため、本発明は、首や肩に掛ける掛部（１０）と、掛部（１０）の両端部それぞれを留め且つ運搬物（５０，６０）に取り付けられる複数の留具（１６Ａ，１６Ｂ）とを有するストラップ（１，２）であって、掛部（１０）は、長方形状の２枚以上の布（１１，１２）を長手方向に縫合することで形成されることを特徴とする。掛部（１０）に幅広の布（１１，１２）を用いると、首や肩に当たる部分が幅広となるため、運搬物（５０，６０）からの重量が分散される。これにより、首や肩にかかる負担を軽減することができる。【０００８】
また、２枚以上の布（１１，１２）を長手方向に縫合すると、運搬物（５０，６０）からの荷重が掛部（１０）にかかった場合に掛部（１０）の張力が発生する方向の全域に縫合部（Ｓ１，Ｓ２）が形成されることとなり、運搬物（５０，６０）からの荷重に対する耐力が強くなる。また、２枚以上の布（１１，１２）から構成されるため、いずれか１枚の布（１１，１２）の表面に傷が付いた後、掛部（１０）への荷重によって当該傷が大きくなったとしても、縫合部（Ｓ１，Ｓ２）にて傷の拡大を止めることができる。このため、掛部（１０）の安全性が高まる。これにより、運搬物（５０，６０）を保持するのに充分な強度を有するものとなる。【０００９】
さらに、２枚以上の布（１１，１２）を縫合することで構成されることとすると、２枚以上の布（１１，１２）を異なる模様にすれば、１枚の布にて構成される場合に比べて、より多様な模様を形成することができ、デザイン性にも優れたものとすることができる。よって、本発明のストラップ（１，２）によれば、首や肩にかかる負担を軽減し且つ運搬物を保持するのに充分な強度を有し且つデザイン性にも優れるストラップ（１，２）とすることができる。【００１０】
上記構成のストラップ（１）において、掛部（１０）の長手方向の両端部には、縫合された前記２枚以上の布（１１，１２）の対角上の２つの角部（１１Ｘ，１２Ｘ）を切除することで形成される傾斜部（１１ａ，１２ａ）と前記長手方向と平行な端部（１１ｂ，１２ｂ）とを縫合することで構成される袋状部（１３）が形成され、掛部（１０）の長手方向の中央部には、袋状部（１３）の開口部（１４）が形成されることとしてもよい。このように、掛部（１０）の長手方向の両端部に袋状部（１３）を形成すれば、運搬物（５０）の付属品等の小型の荷物を、開口部（１４）を通じて袋状部（１３）に収納することができる。【００１１】
また、袋状部（１３）を、布（１１，１２）を互いに縫合することで形成することにより、別途、袋状部を形成するための布を用意する必要がなく、部材点数を必要としない。これに加えて、布（１１，１２）を長手方向の両端部において互いに縫合するのみで袋状部（１３）を形成することで、袋状部（１３）の形が強調されず、布（１１，１２）の機能及びデザイン性を損なうことがない。また、角部（１１Ｘ，１２Ｘ）を切除することで長手方向と交差する方向の端部に傾斜部（１１ａ，１２ａ）が形成される。長手方向に対して傾斜している端部と長手方向と平行な端部を縫合すると、掛部（１０）の両端部に布（１１，１２）を縦長に丸めたような形で自然と袋状部（１３）が形成される。このため、自然なデザインとなり、デザイン性を損なうことがない。【００１２】
また、掛部（１０）の長手方向の中央部を開口部（１４）とすることで、中央部は幅広となるため、首や肩に掛ける中央部において運搬物（５０）からの重量が分散される。これにより、首や肩にかかる負担を軽減することができる。【００１３】
また、ストラップに布を用いたことで、ストラップの模様によるファッション性の向上を図ることができ、且つ、運搬物を包む保護用のカバーとしても兼用することで、機能性を持たせることができるというメリットがある。【００１４】
上記構成のストラップ（１）において、袋状部（１３）の開口部（１４）側の端部は、２枚の布（１１，１２）のうち片方の布（１１，１２）がヒダ状に折り畳んで縫合される折畳み部（１１ｃ）が形成されることとしてもよい。このように、袋状部（１３）の開口部（１４）側の端部において、布（１１，１２）の片方をヒダ状に折り畳む、いわゆるギャザー加工をすることで、簡単な構成で袋状部（１３）がより立体的になる。このため、袋状部（１３）の収納容量を大きくすることができる。【００１５】
上記構成のストラップ（２）において、掛部（１０）は、長方形状の２枚以上の布（１１，１２）を長手方向に縫合し、長手方向の両端部が縫合されることで、無端の円環状に構成されることとしてもよい。このように構成すると、留具（１６Ａ，１６Ｂ）の間にある掛部（１０）の幅は布２本分の幅となり、幅広となるため、運搬物（６０）からの重量が分散される。これにより、首や肩にかかる負担をより軽減することができる。  
なお、上記の括弧内の符号は、後述する実施形態の対応する構成要素の符号を本発明の一例として示したものである。
【発明の効果】
【００１６】
本発明にかかるストラップによれば、首や肩にかかる負担を軽減し且つ運搬物を保持するのに充分な強度を有し且つデザイン性にも優れるものとすることができる。また、ストラップに布を用いたことで、ストラップの模様によるファッション性の向上を図ることができ、且つ、運搬物を包む保護用のカバーとしても兼用することで、機能性を持たせることができるというメリットがある。
【図面の簡単な説明】
【００１７】
【図１】本発明の第１実施形態に係るストラップの全体斜視図である。
【図２】掛部の他の構成例を示す図である。
【図３】ストラップの留具の構造を示す図である。
【図４】掛部の固定部を運搬物の取付具に取り付けた状態を説明する図である。
【図５Ａ】第１実施形態の掛部の製造工程を示す図である。
【図５Ｂ】第１実施形態の掛部の製造工程を示す図である。
【図５Ｃ】第１実施形態の掛部の製造工程を示す図である。
【図６Ａ】第１実施形態の掛部の製造工程を示す図である。
【図６Ｂ】第１実施形態の掛部の製造工程を示す図である。
【図６Ｃ】第１実施形態の掛部の製造工程を示す図である。
【図７】本発明の第２実施形態に係るストラップの全体斜視図である。
【図８Ａ】第２実施形態の掛部の製造工程を示す図である。
【図８Ｂ】第２実施形態の掛部の製造工程を示す図である。
【図８Ｃ】第２実施形態の掛部の製造工程を示す図である。
【図９Ａ】第２実施形態の掛部の製造工程を示す図である。
【図９Ｂ】第２実施形態の掛部の製造工程を示す図である。
【発明を実施するための形態】
【００１８】
〔第１実施形態〕
以下、添付図面を参照して本発明の第１実施形態を詳細に説明する。図１は、本発明の第１実施形態に係るストラップ１の全体斜視図である。図１に示すように、ストラップ１は、幅広の薄い布であるストール１１，１２にて構成される掛部１０と、掛部１０の一対の固定部１１Ａ，１１Ｂそれぞれを固定するための一対の環状部材（留具）１６Ａ，１６Ｂと、掛部１０の端部の長さ調整を行う端部調整部材２０と、を有する。
【００１９】
ストラップ１は、その両端の固定部１１Ａ，１１Ｂにおいて、カメラ等の運搬物５０に取り付けられる。なお、本実施形態において、運搬物５０としてカメラを例示するが、カメラ以外の物であってもよい。たとえば、ギターに直接付帯することでギターストラップとすることもできる。また、サーフボードのケースやゴルフバッグ等のスポーツバッグや、ギターケース等の楽器のケースに付帯してもよい。
【００２０】
掛部１０は、その固定部１１Ａ，１１Ｂに付帯される環状部材（リング部材）１６Ａ，１６Ｂを、運搬物５０の左右両側部に形成される取付具５１Ａ，５１Ｂに固定することで取り付けられる。掛部１０は、広げて首や肩にかける幅広のストール（布）で構成され、広げた状態ではその外形が長方形状である。本実施形態の掛部１０は、長方形状の２枚の異なる模様のストール１１，１２を長手方向に縫合することで形成される。
【００２１】
掛部１０の長さは運搬物５０によって異なるが、たとえば、運搬物５０がカメラの場合には、掛部１０の中央部を首に掛けたときに、運搬物５０が使用者の胸部から腹部程度にくるような大きさであることが好ましい。このため、掛部１０の幅及び長さはそれぞれ、一般的なストールの大きさである４０〜１００ｃｍ、７０〜１７０ｃｍ程度が好ましい。よって、各ストール１１，１２の幅は、２０〜５０ｃｍ程度が好ましい。
【００２２】
また、掛部１０を構成するストール１１，１２の素材は、シルクやシフォンのように軽量でかつ強度を確保できる素材を用いる。ここで、掛部１０は、強度を必要とするため、ストール１１，１２の素材は、ポリエステルなどの合成繊維が混合されているものがより好ましく、生地の織りが細かいものがより好ましい。ただし、これに限るものではなく、運搬物の種類によっては、麻やコットンでもよい。
【００２３】
また、首掛けタイプの掛部１０のストールには、首の日焼けを防止するため、必要に応じて防水加工やＵＶ加工を施すことが好ましい。なお、商品のコンセプトによって具体的な加工法は変わる。例えば、シルク素材は紫外線を吸収する性質を持っているため、シルク素材の掛部１０を用いる場合には、ＵＶ加工を施す必要はない。
【００２４】
掛部１０の長手方向の両端部には、ストール１１，１２を互いに縫合することで袋状部１３が形成される。具体的な製造方法については後に詳述する。また、掛部１０の長手方向の中央部には、袋状部１３の開口部１４が形成される。開口部１４は、袋状部１３にアクセスするための開口という作用のみならず、掛部１０の中央に袋状に形成されない場所を多くとることで、幅広の部分を確保しているという作用がある。
【００２５】
袋状部１３の開口部１４側の端部には、いずれも、２枚のストール１１，１２のうち片方のストール１１又は１２がヒダ状に折り畳んで縫合される加工（ギャザー加工とも呼ばれる）がなされ、折畳み部１１ｃ，１２ｃが形成される。図１において、左側の袋状部１３における開口部１４側端部では、ストール１２側に前記加工がなされる一方、右側の袋状部１３における開口部１４側端部では、ストール１１側に前記加工がなされている。当該加工を行うことで、簡単に袋状部１３がより立体的になる。
【００２６】
ところで、上述の掛部１０は、袋状部１３の開口部１４側端部に何の部材も付帯していないが、これに限るものではない。図２は、掛部１０の他の構成例を示す図である。例えば、図２に示すように、袋状部１３の開口部１４側端部の内部側に、面ファスナーやスナップフィットのように互いに係止可能な固定部材１５を設けてもよい。掛部１０の開口部１４付近で固定部材１５を互いに係止させれば、袋状部１３の開口を閉じることができ、袋状部１３内に収納された収納物の落下を防止することができる。なお、必ずしも一点で留めるものに限るものではなく、一部または全部を連続的に閉じることができるファスナーのような開閉部材を配置しても構わない。
【００２７】
図３は、ストラップ１の端部調整部材２０の構造を示す図である。図３に示すように、端部調整部材２０は、掛部１０の固定部１１Ａ，１１Ｂ及びその近傍部分を複数回通すため、２つの孔（第一挿通孔２１、第二挿通孔２２）が形成される。端部調整部材２０の材質は、金属製、樹脂製、革製、硬い布製などがあり、特に特定しない。
【００２８】
図４は、掛部１０の固定部１１Ａ，１１Ｂを運搬物５０の取付具５１Ａに取り付けた状態を説明する図である。以下、掛部１０における一方の固定部１１Ａ側の構成を説明するが、固定部１１Ｂ側も同様の構成である。図４に示されているように、ストラップ１は、掛部１０の固定部１１Ａに挿通される環状部材１６Ａを、運搬物５０の左右両側部に設けた取付具５１Ａに取り付けることで、運搬物５０に取り付く。
【００２９】
掛部１０の固定部１１Ａと環状部材１６Ａに対する固定手順は、まず、固定部１１Ａが端部調整部材２０の第一挿通孔２１、第二挿通孔２２の順で通される。これにより、固定部１１Ａが端部調整部材２０に対して固定される。その後、固定部１１Ａの先端は、環状部材１６Ａに通された後、再び端部調整部材２０の第一挿通孔２１、第二挿通孔２２に通され、固定部１１Ａ自体の側面に縫合されて固定される。
【００３０】
次に、掛部１０の具体的な製造方法について、図５及び図６を用いて説明する。図５及び図６は、第１実施形態の掛部の製造工程を示す図である。まず、図５Ａに示すように、長方形状の同形状のストール１１及びストール１２の対向する長辺を、互いに縫合する。これにより、長方形状の２枚のストール１１，１２が長手方向に縫合されることになる。縫合部をそれぞれ、第一縫合部Ｓ１、第二縫合部Ｓ２と呼ぶ。
【００３１】
一体となったストール１１，１２の内面と外面とを反転させると、図５Ｂに示すように、第一縫合部Ｓ１及び第二縫合部Ｓ２が内面に隠れる。これにより、掛部１０の第一縫合部Ｓ１及び第二縫合部Ｓ２が表から見えなくなり、デザイン性に優れるものとなる。ここで、本実施形態においては、ストール１１，１２の内面と外面とを反転させる際に、図５Ｂのように第一縫合部Ｓ１と第二縫合部Ｓ２とが重なるように配置すると、次の作業がやりやすいので好ましい。
【００３２】
次に、図５Ｃに示すように、上述のように配置した互いに縫合された２枚のストール１１，１２の対角上にある２つの切除部（角部）１１Ｘ，１２Ｘを、それぞれ切り取る。切除部１１Ｘ，１２Ｘは、対角の位置にある端部を切り取ることが好ましい。ここで、切除部１１Ｘ，１２Ｘは、長手方向に対して傾斜する傾斜部１１ａ，１２ａが形成されればよく、傾斜部１１ａ，１２ａの角度や、切除部１１Ｘ，１２Ｘの大きさは、図５Ｃの大きさに限られるものではない。
【００３３】
なお、傾斜部１１ａの下端から傾斜部１２ａの上端までの間には、第一縫合部Ｓ１、第二縫合部Ｓ２と平行の両端部を有する非傾斜領域Ｂがあるが、非傾斜領域Ｂを十分に確保することが好ましい。非傾斜領域Ｂは、その端部のみが縫合され、中央部は首や肩が当たる部分となる。このため、幅広の非傾斜領域Ｂを確保することで、荷重を分散する領域を増やすことになるからである。
【００３４】
図６Ａに示すように、ストール１１，１２の上端側において、傾斜部１１ａと、傾斜部１１ａに近く上端側で対向する右側上端部１２ｂを縫合する。同様に、ストール１１，１２の下端側において、傾斜部１２ａと、傾斜部１２ａに近く下端側で対向する左側下端部１１ｂを縫合する。縫合する際において、傾斜部１１ａの内側に隣接する端部である折畳み部１１ｃと、傾斜部１２ａの内側に隣接する端部である折畳み部１２ｃを、数回折り畳んでヒダ状に重ねつつ縫合する。
【００３５】
図６Ｂに示すように、傾斜部１１ａと右側上端部１２ｂとが縫合された部分が第三縫合部Ｓ３、傾斜部１２ａと左側下端部１１ｂとが縫合された部分が第四縫合部Ｓ４となる。このとき、折畳み部１１ｃは第三縫合部Ｓ３の一部として縫合され、折畳み部１２ｃは第四縫合部Ｓ４の一部として縫合される。
【００３６】
ここで、ストール１１，１２の内面と外面とを反転させると、図６Ｃに示す掛部１０が完成する。このように、最後にストール１１，１２の内面と外面とを反転させることで、第三縫合部Ｓ３及び第四縫合部Ｓ４が内面に隠れる。これにより、掛部１０の袋状部１３を形成する第三縫合部Ｓ３及び第四縫合部Ｓ４が表から見えなくなり、デザイン性に優れるものとなる。なお、折畳み部１１ｃの反対面には波状に窪んだ波状部１１ｄが形成され、折畳み部１２ｃの反対面には波状に窪んだ波状部１２ｄが形成される。本実施形態においては、折畳み部１１ｃ，１２ｃが２つであったため、波状部１１ｄ，１２ｄも２つ形成されるが、数はこれに限られるものではない。
【００３７】
以上説明したように、第１実施形態のストラップ１では、掛部１０が、長方形状の２枚のストール１１，１２を長手方向に縫合することで形成される。掛部１０に幅広の布であるストール１１，１２を用いると、首や肩に当たる部分が幅広となるため、運搬物５０からの重量が分散される。これにより、首や肩にかかる負担を軽減することができる。
【００３８】
また、２枚のストール１１，１２を長手方向に縫合すると、運搬物５０からの荷重が掛部１０にかかった場合に掛部１０の張力が発生する方向の全域に縫合部Ｓ１，Ｓ２が形成されることとなり、運搬物５０からの荷重に対する耐力が強くなる。また、２枚のストール１１，１２から構成されるため、いずれか１枚のストール１１，１２に傷が付いた後、掛部１０への荷重によって当該傷が大きくなったとしても、縫合部Ｓ１，Ｓ２にて傷の拡大を止めることができる。このため、掛部１０の安全性が高まる。これにより、運搬物５０を保持するのに充分な強度を有するものとなる。
【００３９】
さらに、２枚のストール１１，１２を縫合することで構成されることとすると、２枚のストール１１，１２を異なる模様にすれば、１枚のストールにて構成される場合に比べて、より多様な模様を形成することができ、デザイン性にも優れたものとすることができる。よって、本実施形態のストラップ１によれば、首や肩にかかる負担を軽減し且つ運搬物を保持するのに充分な強度を有し且つデザイン性にも優れるものとすることができる。
【００４０】
また、掛部１０の長手方向の両端部には、ストール１１，１２の傾斜部１１ａと右側上端部１２ｂ、または傾斜部１２ａと左側下端部１１ｂを互いに縫合することで、袋状部１３が形成される。また、縫合しない掛部１０の長手方向の中央部には、袋状部１３の開口部１４が形成される。このように、掛部１０の長手方向の両端部に袋状部１３を形成すれば、運搬物５０の付属品等の小型の荷物を、開口部１４を通じて袋状部１３に収納することができる。
【００４１】
また、袋状部１３を、ストール１１，１２を互いに縫合することで形成することにより、別途、袋状部１３を形成するための布を用意する必要がなく、部材点数を必要としない。これに加えて、ストール１１，１２を長手方向の両端部において互いに縫合するのみで袋状部１３を形成することで、袋状部１３の形が強調されず、ストール１１，１２の機能及びデザイン性を損なうことがない。また、切除部１１Ｘ，１２Ｘを切除することで長手方向と交差する方向の端部に傾斜部１１ａ，１２ａが形成され、この状態で、長手方向に対して傾斜している端部と長手方向と平行な端部を縫合すると、掛部１０の両端部にストール１１，１２を縦長に丸めたような形で自然と袋状部１３が形成される。このため、自然なデザインとなり、デザイン性を損なうことがない。
【００４２】
また、掛部１０の長手方向の中央部を開口部１４とすることで、中央部は幅広となるため、首や肩に掛ける中央部において運搬物５０からの重量が分散される。これにより、首や肩にかかる負担を軽減することができる。
【００４３】
また、ストラップにストールを用いたことで、ストラップの模様によるファッション性の向上を図ることができ、且つ、運搬物を包む保護用のカバーとしても兼用することで、機能性を持たせることができるというメリットがある。
【００４４】
袋状部１３の開口部１４側の端部は、２枚のストール１１，１２のうち片方のストール１１，１２がヒダ状に折り畳まれ、折畳み部１１ｃ，１２ｃを形成したあと、縫合される（第三縫合部Ｓ３、第四縫合部Ｓ４）こととしてもよい。このように、袋状部１３の開口部１４側の端部において、ストール１１，１２の片方をヒダ状に折り畳む、いわゆるギャザー加工をすることで、簡単な構成で袋状部１３がより立体的になる。このため、袋状部１３の収納容量を大きくすることができる。
【００４５】
なお、本実施形態で説明した製造工程において、図５Ａで縫合したストール１１，１２を表裏反転させる際、図５Ｂで示すように、第一縫合部Ｓ１及び第二縫合部Ｓ２を中央部になるように配置してから、その後の作業を行った。これは、ストール１１の模様とストール１２の模様がそれぞれ均等に現れるような掛部１０とするための手法であり、必ずしも第一縫合部Ｓ１と第二縫合部Ｓ２が重なるようにしてから、その後の作業を行う必要はない。
【００４６】
〔第２実施形態〕
以下、添付図面を参照して本発明の第２実施形態を詳細に説明する。図７は、本発明の第２実施形態に係るストラップの全体斜視図である。前述の実施形態と同様の構成については同符号を付して説明を省略する。なお、本実施形態においては、運搬物６０としてカバンを例示して説明するが、これに限られるものではない。なお、図７では、カバンの手前側の取手に付帯されるストラップ２のみを示すが、奥側の取手も同様に構成される。
【００４７】
図７に示すように、ストラップ２は、薄い布製のストールにて構成される掛部１０と、掛部１０に付帯される２つの環状部材（留具）１６Ａ，１６Ｂとを有する。環状部材１６Ａ，１６Ｂは、運搬物６０の取付金具６１に対して付帯される。本実施形態の掛部１０は、長手方向の両端部を互いに縫合した構成である。これにより、掛部１０は無端の円環状に構成される。
【００４８】
具体的な掛部１０の製造方法について、図８及び図９を用いて説明する。図８及び図９は、第２実施形態の掛部１０の製造工程を示す図である。
【００４９】
まず、図８Ａに示すように、長方形状の同形状のストール１１及びストール１２の対向する長辺を、互いに縫合する。これにより、長方形状の２枚のストール１１，１２が長手方向に縫合されることになる。縫合部をそれぞれ、第一縫合部Ｓ１、第二縫合部Ｓ２と呼ぶ。
【００５０】
そして、一体となったストール１１，１２の内面と外面とを反転させると、図８Ｂに示すように、第一縫合部Ｓ１及び第二縫合部Ｓ２が内面に隠れる。これにより、掛部１０の第一縫合部Ｓ１及び第二縫合部Ｓ２が表から見えなくなる。ここまでは、前述の実施形態と同様の手順である。
【００５１】
次に、図８Ｃに示すように、ストール１１，１２の両端である上端と下端とが一体的になるように、縫合部ＳＲにて縫合する。これにより、掛部１０は無端の円環状に構成される。そして、一体となったストール１１，１２の内面と外面とを反転させると、図９Ａに示すように、縫合部ＳＲが内面に隠れる。これにより、掛部１０の縫合部ＳＲが表から見えなくなり、デザイン性に優れるものとなる。
【００５２】
最後に図９Ｂに示すように、円環状となった掛部１０の２箇所に環状部材１６Ａ，１６Ｂを付帯することで、ストラップ２が形成される。本実施形態ではフックやカラビナ等のように継ぎ目があり当該継ぎ目においてストラップ２の挿抜が可能な環状部材１６Ａ，１６Ｂを用いている。なお、当該継ぎ目は抜け止めを防止するための抜止防止部材が付帯される。
【００５３】
なお、継ぎ目がないリング状等の構成の環状部材１６Ａ，１６Ｂを掛部１０に付帯させる場合には、掛部１０が無端状になる以前に掛部１０に付帯する必要がある。すなわち、上述の図８Ｂで示した工程と、図８Ｃで示した工程の間において、掛部１０の端部から２つの環状部材１６Ａ，１６Ｂを通す必要がある。
【００５４】
以上説明したように、第２実施形態のストラップ２では、掛部１０が、長方形状の２枚のストール１１，１２を長手方向に縫合することで形成されるため、前述の実施形態と同様、首や肩にかかる負担を軽減し且つ運搬物を保持するのに充分な強度を有し且つデザイン性にも優れるものとすることができる。
【００５５】
これに加えて、本実施形態では、環状部材１６Ａ，１６Ｂの間にある掛部１０の幅は、ストール１１，１２の２本分となり、更に幅広となるため、運搬物６０からの重量がより分散される。これにより、首や肩にかかる負担をより軽減することができる。  
【００５６】
なお、本実施形態で説明した製造工程において、図８Ａで縫合したストール１１，１２を表裏反転させる際、図８Ｂで示すように、第一縫合部Ｓ１及び第二縫合部Ｓ２を中央部になるように配置してから、その後の作業を行ったが、前述と同様、これに限るものではない。
【００５７】
以上、本発明の実施形態を説明したが、本発明は、上記実施形態に限定されるものではなく、請求の範囲、及び明細書と図面に記載された技術的思想の範囲内において種々の変形が可能である。特に、上述の実施形態では、ストール１１，１２の枚数を２枚として説明したが、これに限らず複数枚であればよく、２枚以上であってもよい。また、ストール１１，１２の長さや幅は、運搬物の大きさによって適宜変更が可能である。運搬物の種類や大きさも、適宜変更が可能である。
【図１】
2016194187.tif 000003
【図２】
2016194187.tif 000004
【図３】
2016194187.tif 000005
【図４】
2016194187.tif 000006
【図５】
2016194187.tif 000007
【図６】
2016194187.tif 000008
【図７】
2016194187.tif 000009
【図８】
2016194187.tif 000010
【図９】
2016194187.tif 000011
【国際調査報告】
2016194187.tif 000012
2016194187.tif 000013
2016194187.tif 000014
2016194187.tif 000015